(57)【要約】【課題】  円筒状物品を良好に保持することができ、比較的安価に製造できる保持ケースを提供する。【解決手段】  シート材を組み立てて形成されており、円筒状部Ａ１を有する物品Ａの該円筒状部Ａ１が嵌められる円筒状の筒状体２を有し、筒状体２の下縁又は上縁の一部に、筒状体２の軸長方向に対して直交する方向に直線状に形成された折り目８を介して、延出板４が連設され、延出板４が折り目８に於いて折られている円筒状物品の保持ケース１。【選択図】  図３
2008081173.tif 000002
【特許請求の範囲】
【請求項１】
シート材を組み立てて形成されており、円筒状部を有する物品の該円筒状部が嵌められる円筒状の筒状体を有し、
筒状体の下縁又は上縁の一部に、筒状体の軸長方向に対して直交する方向に直線状に形成された折り目を介して、延出板が連設され、延出板が折り目にて折られていることを特徴とする円筒状物品の保持ケース。
【請求項２】
シート材を組み立てて形成されており、円筒状部を有する物品の該円筒状部が嵌められる筒状体と、この筒状体の下方側に形成され且つ筒状体に嵌められた物品の下面を支持する支持部と、を有し、
筒状体の中途部に於いて周方向に延びる切り目が形成され、切り目の下方領域を筒状体の内側へ押し込むことによって、前記支持部が形成されていることを特徴とする円筒状物品の保持ケース。
【請求項３】
前記筒状体が円筒状に形成され、筒状体の下縁又は上縁の一部に、筒状体の軸長方向に対して直交する方向に直線状に形成された折り目を介して、延出板が連設され、延出板が折り目にて折られている請求項２に記載の円筒状物品の保持ケース。
【請求項４】
前記延出板が、筒状体の下縁の一部に前記折り目を介して連設されており、延出板が折り目にて筒状体の下側へ折り返されていると共に、延出板の側部が筒状体から延出されている請求項３に記載の保持ケース。
【請求項５】
前記折り目の長さが、容器の円筒状部の直径よりも短く形成されている請求項３または４に記載の円筒状物品の保持ケース。
【発明の詳細な説明】
【技術分野】
【０００１】
本発明は、円筒状部を有する物品を保持するための保持ケースに関する。
【背景技術】
【０００２】
従来から、複数の物品を包装材に纏めて包装し、これを販売することが行われている。
例えば、シャンプー、リンス及びフェイスクリームを抱き合わせ販売するために、これら３点の物品を１つの包装材に併せて包装することが行われている。該包装材としては、組立て箱や手提げ袋などが挙げられる。
この場合、シャンプー、リンス及びフェイスクリームの容器形状が、全て共通していることは稀であり、一般には、フェイスクリームの容器形状が他の物品に比して小さく、且つ円筒状容器であることが多い。
【０００３】
特に、フェイスクリーム容器などの円筒状部を有する物品は、振動などが加わることによって回転し易い。従って、円筒状物品を包装する際、商品名などが表示された商品表示面を包装材の正面に位置させていても、輸送時に回転して包装位置がずれ易い。よって、包装した円筒状物品の回転を規制して商品表示面が包装体の正面に向くように、該物品を保持する保持ケースが求められる。また、上述のように、ある物品が、他の物品に比して小さい場合、これらの物品を纏めて包装する際には、この容器形状の小さい物品を、所定の高さ位置に保持する保持ケースが求められる。
このような保持ケースとして、従来、円筒状物品を嵌入保持可能なシート成形品（真空成形、圧空成形などのシート成形品）が用いられている。
しかしながら、シート成形品の場合、製造に際して金型が必要であり、製造単価が高くなるという問題がある。また、保持ケースそのものを保管する際に、比較的広い保管スペースが必要となる。
【発明の開示】
【発明が解決しようとする課題】
【０００４】
そこで、本発明は、円筒状物品を良好に保持することができ、比較的安価に製造できる保持ケースを提供することを課題とする。
【課題を解決するための手段】
【０００５】
上記問題点に鑑みて、本発明は、シート材を組み立てて形成されており、円筒状部を有する物品の該円筒状部が嵌められる円筒状の筒状体を有し、筒状体の下縁又は上縁の一部に、筒状体の軸長方向に対して直交する方向に直線状に形成された折り目を介して、延出板が連設され、延出板が折り目に於いて折られている円筒状物品の保持ケースを提供する。
【０００６】
かかる保持ケースは、円筒状部を有する物品（円筒状物品）を円筒状の筒状体に嵌め入れることによって、該物品を保持することができる。この筒状体の下縁又は上縁の一部には、直線状に形成された折り目を介して延出板が連設され、この延出板が折り目にて折られているので、保持ケースの筒状体は、真円筒形状とならず、一部の円弧が歪んだ円筒形状となる。かかる歪んだ円筒形状の筒状体に嵌め入れられた円筒状物品は、筒状体の内周面に部分的に強く接する。このため、保持ケースに保持された円筒状物品は、輸送時等に不用意に回転し難くなる。従って、上記保持ケースを用いれば、円筒状物品の商品表示面を正面に位置させた状態で包装することができる。
さらに、上記保持ケースは、シート材を組み立てて形成されているので、比較的安価に製造でき、又、シート材からなるので、これを組み立てる前は嵩張らず、保管スペースも少なくて済む。
【０００７】
さらに、本発明は、シート材を組み立てて形成されており、円筒状部を有する物品の該円筒状部が嵌められる筒状体と、この筒状体の下方側に形成され且つ筒状体に嵌められた物品の下面を支持する支持部と、を有し、筒状体の中途部に於いて周方向に延びる切り目が形成され、切り目の下方領域を筒状体の内側へ押し込むことによって、支持部が形成されている円筒状物品の保持ケースを提供する。
【０００８】
上記保持ケースは、円筒状物品を筒状体に嵌め入れることによって、該物品を保持することができる。この保持ケースは、円筒状物品の下面を支持する支持部が設けられているので、該支持部の高さを適宜に設定することにより、円筒状物品を任意の高さ位置に保持できる。
従って、上記保持ケースを用いれば、円筒状物品を任意の高さに保持しつつ、これを包装することができる。
さらに、上記保持ケースは、シート材を組み立てて形成されているので、比較的安価に製造でき、又、シート材からなるので、これを組み立てる前は嵩張らず、保管スペースも少なくて済む。
【０００９】
さらに、本発明の好ましい態様では、上記支持部を有する筒状体が円筒状に形成されており、筒状体の下縁又は上縁の一部に、筒状体の軸長方向に対して直交する方向に直線状に形成された折り目を介して、延出板が連設され、延出板が折り目にて折られている上記円筒状物品の保持ケースを提供する。
【００１０】
上記好ましい態様の保持ケースは、筒状体が円筒状に形成され、該筒状体に連設された延出板が直線状の折り目を介して折られているので、保持ケースの筒状体は、真円筒形状とならず、一部の円弧が歪んだ円筒形状となる。かかる歪んだ円筒形状の筒状体に嵌め入れられた円筒状物品は、筒状体の内周面に部分的に強く接する。このため、保持ケースに保持された円筒状物品は、輸送時等に不用意に回転し難くなる。従って、円筒状物品の商品表示面を正面に位置させて包装することができる。
【００１１】
また、本発明の好ましい態様では、上記延出板が、筒状体の下縁の一部に折り目を介して連設されており、延出板が折り目にて筒状体の下側へ折り返されていると共に、延出板の側部が筒状体から延出されている上記保持ケースを提供する。
【００１２】
上記好ましい態様の保持ケースは、延出板が筒状体の下側へ折り返されているので、保持ケースの接地面が拡がり、自立安定性に優れている。また、延出板の側部が、筒状体から延出されているので、円筒状物品以外の他の物品を併せて包装する際、該延出板の側部（筒状体から延出した部分）に他の物品を載せることによって、保持ケースを動かないように位置決めすることができる。
【００１３】
また、本発明の好ましい態様では、上記折り目の長さが、容器の円筒状部の直径よりも短い上記円筒状物品の保持ケースを提供する。
【発明の効果】
【００１４】
本発明に係る保持ケースは、円筒状物品を回転させず、商品表示面を包装体の正面に向けて保持することができる。
また、本発明の保持ケースは、円筒状物品を所定の高さに保持することができる。
さらに、本発明の好ましい態様の保持ケースは、円筒状物品の商品表示面を包装体の正面に向けつつ所定高さに保持した状態で、円筒状物品を包装することができる。
このような本発明に係る保持ケースは、比較的安価に製造でき、省スペースにて保管することもできる。
【発明を実施するための最良の形態】
【００１５】
以下、本発明について、図面を参照しつつ具体的に説明する。
図１に於いて、１は、円筒状部を有する物品を保持する保持ケースを示す。
本発明の保持ケース１は、円筒状部を有する物品であれば特に制限なく使用できる。該物品は、例えば、全体が円筒状の物品、一部分が円筒状の物品（例えば、円筒状キャップを有するチューブ容器など）の何れでもよい。
【００１６】
保持ケース１は、可撓性のあるシート材を組み立てることによって形成されている。
該シート材としては、ポリプロピレン、ポリエチレンなどのポリオレフィン系、ポリエチレンテレフタレートなどのポリエステル系、ポリスチレン系、ポリアミド系などの各種合成樹脂製シート、紙、合成紙などの各種シートを用いることができる。また、シート材は、同種又は異種の積層シートでもよい。中でも、保持した物品を、保持ケース１を介して視認できるようにするため、保持ケース１のうち少なくとも筒状体２の部分が透明なシート材で形成されていることが好ましく、更に、製造面から保持体１全体が透明なシート材（例えば、有色または無色の透明な合成樹脂シート等）で形成されていることが好ましい。
シート材の厚みは、特に限定されないが、例えば、透明な合成樹脂製シートの場合には、０．２ｍｍ〜１．０ｍｍ程度が例示される。
中でも、適度な剛性と柔軟性を有することから、厚み０．２ｍｍ〜０．６ｍｍ程度の透明なポリプロピレンの２軸延伸シートを用いることが好ましい。
【００１７】
保持ケース１は、物品の円筒状部が嵌め入れられる保持枠部２３を有する筒状体２と、筒状体２の下方側に設けられ且つ保持枠部２３に嵌められた物品の下面を支持する支持部３と、筒状体２の下縁に連設され且つ筒状体２の両側に延出された延出板４と、を備えている。
具体的には、筒状体２は、矩形状のシート材の両側部を重ねて接着することによって筒状に形成されている。保持枠部２３は、筒状体２の上方側に形成されており、円筒状（楕円筒状を含む）に形成されている。この筒状体２の保持枠部２３は、その内周長さが物品の円筒状部の外周長さと略同じ長さに形成されている。従って、物品の円筒状部が保持枠部２３に嵌め入れられた際、保持枠部２３の内周面の大部分が、円筒状部の外周面に接する。
なお、図示した筒状体２の保持枠部２３には、軸長方向に平行に延びる縦折り目５，５が対向して２本形成されている。従って、該筒状体２の保持枠部２３は、平面視楕円状に形成されている。もっとも、保持枠部２３の縦折り目５は、必ずしも形成されていなければならないわけではなく、この縦折り目５が形成されていない保持枠部２３でもよい。
【００１８】
支持部３は、筒状体２の下方側を内側へ折り曲げることによって形成されている。この支持部３は、図示したように、筒状体２の下方側に於いて、対向して２箇所形成することが好ましい。具体的には、筒状体２の軸長方向中途部に於いて、周方向に延びる切り目６が所定間隔を開けて２本形成されている。この切れ目６に繋がって、３本の縦折り目７１〜７３が形成されている。第１の縦折り目７１は、切れ目６の一端部から筒状体２の軸長方向に平行に形成されている。第２の縦折り目７２は、切り目６の中途部から前記縦折り目５の延長線に沿って形成されている。第３の縦折り目７３は、切れ目６の他端部から延出板４側に向かって傾斜して形成されている。この第３の縦折り目７３の下端は、後述する延出板４の折り目８の端部に繋がっている。
前記切れ目６で切断された筒状体２の下方領域２１を内側へ押し込むと、第１の縦折り目７１及び第３の縦折り目７３が山折りされ、且つ第２の縦折り目７２が谷折りされる。その結果、筒状体２の下方両側に、内側へ凹んだ凹み部２２が形成される。このように下方領域２１が筒状体２の内側に凹むことによって、支持部３が形成される。そして、保持枠部２３に嵌め入れられた物品の下面が、この支持部３の上端（切れ目６の切断辺）に当たり、該物品は筒状体２の上方側（保持枠部２３）に於いて保持される。
【００１９】
延出板４は、筒状体２の下縁の一部に、折り目８を介して連設されている。この折り目８は、筒状体２の軸長方向に対して直交する方向に、直線状に形成されている。ここで、筒状体２の軸長方向とは、筒状体の上下の開口部（円開口部）の各中心を通る直線と平行な方向をいう。
また、折り目８（延出板４と筒状体２の接続部）の長さは、特に限定されないが、保持する物品の円筒状部の直径よりも短いことが好ましい。なぜなら、シート材を組み立てて延出板４を折り返した際、筒状体２の保持枠部２３が歪み、これによって、該保持枠部２３に保持された物品が回転し難くなるからである。具体的には、折り目８の長さは、円筒状部の直径の１倍未満、更に、９／１０倍以下の長さが好ましく、特に４／５倍以下の長さがより好ましい。
一方、折り目８の長さは、物品の円筒状部の直径の１／４倍以上、更に、１／２倍以上の長さが好ましい。なぜなら、折り目８の長さが余りに短いと、延出板４と筒状体２の接続長さが短くなり、前述の保持枠部２３の歪みを十分に得られないからである。
延出板４は、折り目８に於いて折り返され、折り返された延出板４の上面に、筒状体２の下縁が載置されている。この折り返された延出板４の両側部４ａ，４ａは、筒状体２の両側（筒状体２の下方側に形成された凹み部２２の外側）から延出している。
ここで、切り目６は、シート材を貫通する切込み線である。また、各折り目５，８，７１〜７３は、シート材が折り曲げられた部分ある。シート材を容易に折り曲げるため、各折り目５，８，７１〜７３として、例えば、シート材を厚み方向に切り込んだハーフカット線（Ｖノッチともいう）、貫通孔が断続的に形成されたミシン目などを用いることが好ましい。
【００２０】
次に、図２は、上記保持ケース１を構成する展開シート１０を示す。
該展開シート１０は、第１の矩形面部１１（組み立てた際に筒状体２となる部分である）と、第１の矩形面部１１の下辺に連設され、且つ該第１の矩形面部１１よりも小面積の第２の矩形面部１２（組み立てた際に、延出板４となる部分である）と、を有する。
第１の矩形面部１１の一側部には、糊代面部１３が連設されており、この糊代面部１３を第１の矩形面部１１の他側部に接着することによって、第１の矩形面部１１は筒状に組み立てられる。
筒状に組み立てた際に物品の円筒状部を保持するため、第１の矩形面部１１の幅長さは、円筒状部の周長さとほぼ等しく形成されている。また、第１の矩形面部１１の縦長さは、物品を保持したい高さ位置に応じて所望に設計できる。
【００２１】
第２の矩形面部１２は、第１の矩形面部１１を筒状に成形した際、その両側に延出しうる形状及び大きさに形成されている。具体的には、第２の矩形面部１２の幅長さは、例えば、保持する物品の下面の直径の１．２倍〜３倍程度、更に、１．５倍〜２倍程度に形成されていることが好ましい。第２の矩形面部１２の縦長さは、保持する物品の下面の直径の１／２倍〜１倍程度、更に、１／２倍〜２／３倍程度に形成されていることが好ましい。
【００２２】
第１の矩形面部１１と第２の矩形面部１２は、折り目１４（保持ケース１の折り目８に相当する）を介して連設されている。この折り目１４は、第１の矩形面部１１の上辺に平行な直線状に形成されている。
第１の矩形面部１１の面内には、縦方向に延びる縦折り目１５（保持ケース１の縦折り目５に相当する）が左右一対形成されている。この一対の縦折り目１５の間隔は、第１の矩形面部１１の幅長さの約１／２倍が好ましい。
さらに、第１の矩形面部１１の面内には、切り目１６（保持ケースの切り目６に相当する）が形成されている。この切り目１６は、第１の矩形面部１１の縦方向中途部に於いて、縦折り目１５に跨って幅方向に延びて形成されている。さらに、切り目１６の一端部から第１の矩形面部１１の下縁に亘って縦方向に平行に、第１の縦折り目１７（保持ケース１の第１の縦折り目７１に相当する）が形成されている。また、切り目１６の中途部から第１の矩形面部１１の下縁に亘って縦方向に平行に、第２の縦折り目１８（保持ケース１の第２の縦折り目７２に相当する）が形成されている。さらに、切り目１６の他端部から第２の矩形面部１２の端部に亘って縦方向に傾斜状に、第３の縦折り目１８（保持ケース１の第３の縦折り目７３に相当する）が形成されている。
【００２３】
この展開シート１０の第１の矩形面部１１の両側部を重ね合わせて筒状にし、糊代面部１３を接着することによって筒状体２が形成される。次に、展開シート１０の第２の矩形面部１２を折り目１４に於いて筒状体２の下縁側へと折り曲げ、切れ目６の下方領域を筒状体２の内側へ押し込むことによって、上記保持ケース１が作製される。
【００２４】
かかる保持ケース１は、図３に示すように、筒状体２の保持枠部２３に物品Ａの円筒状部Ａ１を嵌め入れて使用される。
物品Ａが嵌められた保持ケース１は、例えば、図４に示すように、他の物品Ｂと併せた集合体の状態で包装される。該集合体を包装する包装材（図示せず）としては、透明なシートを直方体状の箱に組み立てた組立箱や、透明な柔軟なシートを袋状にした手提げ袋などが挙げられる。
該包装材に包装する際、筒状体２の両側に延出された延出板４の両側部４ａ，４ａの上面に、他の物品Ｂをそれぞれ載置することにより、保持ケース１は、両物品Ｂの間に位置決めされる。特に、図示したように、他の物品Ｂの胴部が下方側に於いて外側に膨らんだ膨出部Ｂ１を有する場合、この物品Ｂの膨出部Ｂ１が、保持ケース１の凹み部２２に収まる。このため、保持ケース１を両物品Ｂ，Ｂ間に、より確実に位置決めできると共に、円筒状物品Ａ及び他の物品Ｂをコンパクトに纏めることができる。
【００２５】
上記保持ケース１は、筒状体２の保持枠部２３に円筒状物品Ａを保持できる。この筒状体２の保持枠部２３は、円筒状物品Ａの円筒状部Ａ１の外周面に部分的に強く接してこれを保持するので、円筒状物品Ａが回転し難い。すなわち、筒状体２の下縁に、直線状に形成された折り目８を介して連接された延出板４が折られている。このため、筒状体２の下縁は、延出板４の連設部分（折り目８）に於いて、円弧状にならずに直線状となる。よって、筒状体２の下方側は、歪んだ円筒状になり、この形状が筒状体２の保持枠部２３にも作用することから、筒状体２の保持枠部２３が、歪んだ円筒形状となるのである。かかる保持枠部２３に嵌め入れられた円筒状物品Ａは、保持枠部２３の内周面に部分的に強く接する。このため、円筒状物品Ａの不用意な回転を規制できる。
そして、保持ケース１の所定位置（例えば正面）に円筒状物品Ａの商品表示面を位置合わせして、物品Ａを嵌め入れることにより、円筒状物品Ａの商品表示面が常に消費者に見える包装体を構成できる。
また、支持部３の高さを任意に設定することにより、円筒状物品Ａを所望の高さ位置に保持することができる。
【００２６】
なお、本発明は、上記実施形態の保持ケースに限られず、適宜設計変更できる。以下、本発明の変形例を示すが、主として上記実施形態と異なる構成について説明し、同様の構成に付いては、説明を省略し、用語及び符号を援用する場合がある。
上記実施形態では、保持ケース１は、筒状体２の下方に延出板４が設けられているが、例えば、図５に示すように、延出板を有しない保持ケース１でもよい。かかる保持ケース１は、筒状体２の下縁が接地面となって自立可能であり、支持部３によって円筒状物品Ａを所定高さに保持できる。
【００２７】
また、上記実施形態では、筒状体２の第１の縦折り目７１が、軸長方向に平行に形成されているが、該第１の縦折り目７１が傾斜状に形成されている保持ケース１であってもよい。かかる保持ケース１は、例えば、図６に示す展開シート１０を組み立てることによって作製できる。この展開シート１０は、第１の縦折り目１７（保持ケース１の第１の縦折り目７１に相当する）が、下方に向かうに従い第３の縦折り目１９から離れるように傾斜状に形成されている。
【００２８】
図７は、筒状体２の上方側（保持枠部２３）が、円筒形状（楕円筒形状を含む）に形成され、筒状体２の下方側が、矩形筒状に形成されている保持ケース１である。
この保持ケース１を構成する展開シート１０は、例えば、図８に示すようなものである。この展開シート１０は、矩形面部１１の面内に、第１の縦折り目１７及び第３の縦折り目１９が縦方向に平行に形成され、第１の縦折り目１７及び第３の縦折り目１９の間に第２の縦折り目１８が形成されている。
この展開シート１０の矩形面部１１の両側部を重ね合わせて筒状にし、糊代面部１３を接着することによって筒状体２が形成される。次に、展開シート１０の第１の縦折り目１７及び第３の縦折り目１９に於いて、９０度強に屈曲させることによって、図７に示す保持ケース１が作製される。
【００２９】
図９は、同様に、筒状体２の上方側（保持枠部２３）が、円筒形状（楕円筒形状を含む）に形成され、筒状体２の下方側が、矩形筒状に形成されている保持ケース１である。図７に示す保持ケース１と異なる点として、図９の保持ケース１は、筒状体２の下方開口を塞ぐように、延出板４が折り返されている。かかる延出板４は、筒状体２の軸長方向に対して直交する方向に直線状に形成された折り目８を介して連設されている。この延出板４は、筒状体２の下方開口と略同面積の矩形状に形成されており、筒状体２の下側に折り返されることによって、筒状体２の下方開口を閉塞している。
この保持ケース１を構成する展開シート１０は、例えば、図１０に示すようなものである。この展開シート１０は、図８に示す展開シート１０に、下記の要素が付加されている。すなわち、第１の矩形面部１１の下辺に、折り目１４（保持ケース１の折り目８に相当する）を介して、第２の矩形面部１２（保持ケース１の延出板４に相当する）が連設されている。さらに、この第２の矩形面部１２の両側であって第１の矩形面部１１の下辺に、一対のフラップ片部１２ｇ，１２ｇが連設されている。
第２の矩形面部１２は、２本の第３の縦折り目１９の形成間隔と略同じ長さに形成され、第２の矩形面部１２の下辺には、差し込み片１２ａが延設されている。また、各フラップ片部１２ｇは、第１の縦折り目１７及び第３の縦折り目１９の形成間隔と略同じ長さに形成されている。なお、フラップ片部１２ｇは、折り目を介して第１の矩形面部１１に連設されている。
この展開シート１０の第１の矩形面部１１の両側部を重ね合わせて筒状にし、糊代面部１３を接着することによって筒状体２が形成される。次に、展開シート１０の第１の縦折り目１７及び第３の縦折り目１９に於いて、約９０度に屈曲させることにより、筒状体２の下方側を矩形筒状に形成した後、両フラップ片部１２ｇを筒状体２の下縁側へと折り曲げ、次に、第２の矩形面部１２を折り曲げ、差し込み片１２ａを筒状体２の内側へ嵌めることによって、図９に示す保持ケース１が作製される。
【００３０】
さらに、上記実施形態では、保持ケース１は、支持部３を有するが、図１１に示すように、支持部を有しないものでもよい。該保持ケース１は、例えば、円筒状容器Ａを嵌め入れる筒状体２（保持枠部２３）と、この筒状体２の上下側に折り返された延出板４１，４２と、を有し、両延出板４１，４２は、筒状体２の軸長方向に対して直交する方向に直線状に形成された折り目８を介して連設されている。この延出板４１，４２は、筒状体２の上下開口よりも大きい面積の矩形状に形成されており、折り目８に於いて、筒状体２の上側及び下側に折り返されることによって、筒状体２の上下開口面を閉塞している。
この保持ケース１を構成する展開シート１０は、図１２に示すようなものである。この展開シート１０は、例えば、第１の矩形面部１１（保持ケース１の保持枠部２３に相当する）と、この第１の矩形面部１１の上下辺に折り目１４を介して連設された第２の矩形面部１２ｂ及び第３の矩形面部１２ｃ（保持ケース１の延出板４１及び延出板４２に相当する）と、が形成されている。
この展開シート１０の第１の矩形面部１１の両側部を重ね合わせて筒状にし、糊代面部１３を接着することによって筒状体２（保持枠部２３）が形成される。次に、第２の矩形面部１２ｂを筒状体２の上縁側に折り曲げ、且つ第３の矩形面部１２ｃを筒状体２の下縁側に折り曲げることによって、図１１に示す保持ケース１が作製される。
なお、図１１に例示する変形例に於いて、上下側に折り返される延出板４１，４２のうち、何れか一方を有しない保持ケース１でもよい。
かかる変形例の保持ケース１は、延出板４１，４２が、直線状の折り目８を介して折られているので、保持枠部２３が歪んだ円筒形状を成し、物品を回転しないように保持できる。
【００３１】
さらに、図１３に示す保持ケース１は、背板９が設けられているものである。
具体的には、該保持ケース１は、例えば、筒状体２（保持枠部２３）と、この筒状体２の上下側に折り返された延出板４１，４２と、筒状体２の外周面の一部に接するように設けられた背板９と、を有する。背板９は、筒状体２の外周面の一部に接して立ち上げられている。なお、両延出板４１，４２は、筒状体２の軸長方向に対して直交する方向に直線状に形成された折り目８を介して連設されている。この延出板４１，４２は、筒状体２の上下開口よりも大きい面積の矩形状に形成されており、筒状体２の上側及び下側に折り返されることによって、筒状体２の上下開口面を閉塞している。
かかる背板９を有する保持ケース１は、組立て箱などの包装材の一面に、背板９を当接させることによって、保持ケース１自体の位置ズレを防止できる。
【００３２】
この保持ケース１を構成する展開シート１０は、図１４に示すようなものである。この展開シート１０は、例えば、第１の矩形面部１１（保持ケース１の保持枠部２３に相当する）と、この第１の矩形面部１１の上下辺に折り目１４を介して連設された第２の矩形面部１２ｂ及び第３の矩形面部１２ｃ（保持ケース１の延出板４１，４２に相当する）と、第３の矩形面部１２ｃに折り目を介して連設された第４の矩形面部１２ｄ（保持ケース１の背板９に相当する）と、が形成されている。第２の矩形面部１２ｂの上辺には、差し込み片１２ｅが延設され、第４の矩形面部１２ｄの面内には、前記差し込み片１２ｅを差し込むための切り目１２ｆが形成されている。
この展開シート１０の第１の矩形面部１１の両側部を重ね合わせて筒状に成形することによって筒状体２（保持枠部２３）が形成される。次に、第２の矩形面部１２ｂを筒状体２の上側に折り曲げ、且つ第３の矩形面部１２ｃを筒状体２の下側に折り曲げ、更に、第４の矩形面部１２ｄを第３の矩形面部１２ｃに対して直角に上方へ折り曲げた後、差し込み片１２ｅを第４の矩形面部１２ｄの切り目１２ｆに嵌め入れることによって、図１３に示す保持ケース１が作製される。
【００３３】
さらに、図１５に示す保持ケース１は、商品説明書などの附録Ｃを収納可能な収納部１１が設けられているものである。
具体的には、該保持ケース１は、筒状体２（保持枠部２３）と、この筒状体２の上下側に折り返された延出板４１，４２と、筒状体２の外周面の一部に接するように設けられた収納部１１と、を有する。収納部１１は、筒状のシート材を扁平状に押し潰した形態からなり、筒状体２の外周面の一部に接して立ち上げられている。この収納部１１の上方開口部から附録Ｃを出し入れできる。なお、両延出板４１，４２は、筒状体２の軸長方向に対して直交する方向に直線状に形成された折り目８を介して連設されている。この延出板４１，４２は、筒状体２の上下開口よりも大きい面積の矩形状に形成されており、筒状体２の上側及び下側に折り返されることによって、筒状体２の上下開口面を閉塞している。
【００３４】
この保持ケース１を構成する展開シート１０は、図１６に示すようなものである。この展開シート１０は、例えば、第１の矩形面部１１（保持ケース１の保持枠部２３に相当する）と、この第１の矩形面部１１の上下辺に折り目１４（保持ケース１の折り目８に相当する）を介して連設された第２の矩形面部１２ｂ及び第３の矩形面部１２ｃ（保持ケース１の延出板４１，４２に相当する）と、第３の矩形面部１２ｃに折り目を介して連設された第４の矩形面部１２ｈ（保持ケース１の収納部１１に相当する）と、が形成されている。第２の矩形面部１２ｂの上辺には、糊代面部１３が延設されている。第４の矩形面部１２ｈは、第１の矩形面部１１と略同じ幅に形成されており、第４の矩形面部１２ｈの面内には、縦方向に延びる折り目が所定間隔を開けて一対形成されている。
【００３５】
この展開シート１０の第１の矩形面部１１の両側部を重ね合わせて筒状に成形することによって筒状体２（保持枠部２３）が形成される。次に、第４の矩形面部１２ｈの両側端部を重ね合わせ、重ね合わせ部分を接着して筒状に成形し、折り目に於いて押し潰して扁平状に形成する。次に、第２の矩形面部１２ｂを筒状体２の上縁側に折り曲げ、且つ第３の矩形面部１２ｃを筒状体２の下縁側に折り曲げ、更に、扁平状に形成された第４の矩形面部１２ｈを第３の矩形面部１２ｃに対して直角に上方へ折り曲げた後、第２の矩形面部１２ｂの糊代面部１３を第４の矩形面部１２ｈに接着することによって、図１５に示す保持ケース１が作製される。
【図面の簡単な説明】
【００３６】
【図１】（ａ）は、本発明の保持ケースの一実施形態を示す正面図、（ｂ）は、同側面図、（ｃ）は、同平面図。
【図２】保持ケースを構成する展開シートの平面図。但し、破線は、折り目を表している（図６、図８、図１０、図１２、図１４及び図１６の各展開シートの平面図も同じ）。
【図３】（ａ）は、保持ケースに物品を保持した状態を示す正面図、（ｂ）は、同側面図。
【図４】包装体の一実施形態を示す参考正面図。但し、包装材を２点鎖線で示す。
【図５】（ａ）は、他の実施形態に係る保持ケースの正面図、（ｂ）は、同側面図。
【図６】他の実施形態に係る保持ケースを構成する展開シートの平面図。
【図７】（ａ）は、他の実施形態に係る保持ケースの正面図、（ｂ）は、同側面図、（ｃ）は、同平面図。
【図８】図７の保持ケースを構成する展開シートの平面図。
【図９】（ａ）は、他の実施形態に係る保持ケースの正面図、（ｂ）は、同側面図、（ｃ）は、同平面図。
【図１０】図９の保持ケースを構成する展開シートの平面図。
【図１１】他の実施形態に係る保持ケースの斜視図。
【図１２】図１１の保持ケースを構成する展開シートの平面図。
【図１３】他の実施形態に係る保持ケースの斜視図。
【図１４】図１３の保持ケースを構成する展開シートの平面図。
【図１５】他の実施形態に係る保持ケースの斜視図。附録を二点差線で示す。
【図１６】図１５の保持ケースを構成する展開シートの平面図。
【符号の説明】
【００３７】
１…保持ケース、２…筒状体、２１…筒状体の下方領域、３…支持部、４，４１，４２…延出板、６…切れ目、８…折り目、１０…展開シート、Ａ…物品、Ａ１…物品の円筒状部
【図１】
2008081173.tif 000003
【図２】
2008081173.tif 000004
【図３】
2008081173.tif 000005
【図４】
2008081173.tif 000006
【図５】
2008081173.tif 000007
【図６】
2008081173.tif 000008
【図７】
2008081173.tif 000009
【図８】
2008081173.tif 000010
【図９】
2008081173.tif 000011
【図１０】
2008081173.tif 000012
【図１１】
2008081173.tif 000013
【図１２】
2008081173.tif 000014
【図１３】
2008081173.tif 000015
【図１４】
2008081173.tif 000016
【図１５】
2008081173.tif 000017
【図１６】
2008081173.tif 000018